(57)【要約】【課題】記録再生装置において、ディスクをロード後、記録または再生動作開始までの時間を短縮可能な技術の提供。【解決手段】新たにロードされたディスクの特性データが既に記録部に記憶されているときは、該ディスクに対し特性データの検出をすることなく情報の記録または再生を開始する制御構成とする。特性データが既に記憶されているか否かの判別は、ディスク固有の管理番号を検出しこれが記憶されているか否かを判別して行う。【選択図】  図１
2004241075.tif 000002
【特許請求の範囲】
【請求項１】
記録媒体としてのディスクに対し情報の記録、再生のいずれか一方または両方を行う記録再生装置であって、
ディスクの特性データを記憶可能な記憶手段と、
ロードされたディスクの特性データが既に上記記憶手段内に記憶されているときは、該ディスクに対し特性データの検出をすることなく情報の記録または再生を開始するように制御する制御手段と、
を備え、同一のディスクに対し繰返して記録または再生を行う場合の、記録開始または再生開始までの時間を短縮可能な構成としたことを特徴とする記録再生装置。
【請求項２】
記録媒体としてのディスクに対し情報の記録、再生のいずれか一方または両方を行う記録再生装置であって、
ディスクの固有の管理番号と特性データを記憶可能な記憶手段と、
ロードされたディスクの固有の管理番号が該記憶手段内に記憶されているときは、該ディスクの特性データが既に該記憶手段内に記憶されているとして該ディスクの特性データの検出を行うことなく該ディスクに対する情報の記録または再生を開始するように制御する制御手段と、
を備え、ディスクの固有の管理番号と特性データを予め記憶することにより、該ディスクに対する記録開始または再生開始までの時間を短縮可能な構成としたことを特徴とする記録再生装置。
【請求項３】
記録媒体としてのディスクに対し情報の記録、再生のいずれか一方または両方を行う記録再生装置であって、
ディスクの固有の管理番号と特性データを記憶可能な記憶手段と、
ロードされたディスクの固有の管理番号を読取る読取り手段と、
該読取られた固有の管理番号が上記記憶手段内に記憶されているか否かを判別し、該判別の結果、該固有の管理番号が上記記憶手段内に記憶されているときは、上記ロードされたディスクの特性データが既に該記憶手段内に記憶されているものとして該ディスクの特性データの検出を行うことなく該ディスクに対する情報の記録または再生を開始するように制御し、上記固有の管理番号が記憶されていないときは、上記ロードされたディスクにつき特性データの検出を行ってから該ディスクに対する情報の記録または再生を開始するように制御する制御手段と、
を備え、ディスクの固有の管理番号と特性データを予め記憶しておくことにより、記録開始または再生開始までの時間を短縮可能な構成としたことを特徴とする記録再生装置。
【請求項４】
上記制御手段は、上記記憶手段の記憶状態情報に基づき、ロードされたディスクの固有の管理番号と特性データを該記憶手段に記憶させるように制御する構成である請求項２または請求項３に記載の記録再生装置。
【請求項５】
記録媒体としてのディスクに対し情報の記録または再生を行う記録再生方法であって、
ロードされたディスクの固有の管理番号を読取るステップと、
該読取った固有の管理番号が装置内に記憶されているか否かを判別するステップと、
該判別の結果、該固有の管理番号が記憶されているときは、上記ロードされたディスクの特性データが既に該装置内に記憶されているものとして該ディスクの特性データの検出を行うことなく該ディスクに対する情報の記録または再生を開始するように制御するステップと、
を経て、ロードされたディスクに対し記録または再生を開始することを特徴とする記録再生方法。
【請求項６】
記録媒体としてのディスクに対し情報の記録または再生を行う記録再生方法であって、
ロードされたディスクの固有の管理番号を読取るステップと、
該読取った固有の管理番号が装置内に記憶されているか否かを判別するステップと、
該判別の結果、該固有の管理番号が記憶されていないときは、上記ロードされたディスクにつき特性データの検出を行うステップと、
該検出した特性データを該ディスクの固有の管理番号とともに記憶するステップと、
該ディスクに対する情報の記録または再生を開始するステップと、
を経て、ロードされたディスクに対し記録または再生を行うことを特徴とする記録再生方法。
【発明の詳細な説明】
【０００１】
【発明の属する技術分野】
本発明は、記録媒体としてのディスクに対し情報の記録、再生のいずれか一方または両方を行う記録再生装置に関する。
【０００２】
【従来の技術】
本発明に関連する従来技術としては、例えば、特開平１０−６４１６６号公報（特許文献１）及び特開平１０−６９６５１号公報（特許文献２）に記載されたものがある。特開平１０−６４１６６号公報には、電源オン時やリセット解除時に、直前のディスク種別の検出結果等を有効に利用して次の再生処理を迅速に開始できるようにするために、ロードされたディスク種別を検出し、該検出結果に対応してピックアップ部の光学系のレンズ設定状態を切換え、該切換え情報に基づき復調器の設定を行い、再生処理に移行するようにした構成が記載されている。特開平１０−６９６５１号公報には、ディスク毎の目次データから作成したディスク判別データと、光ピックアップ移動時の誤差補正用のディスク固有のオフセットデータとをメモリーに記憶しておき、ディスクをセット後、上記判別データを用いてメモリー内を検索し、一致するデータがあればトラックカウント学習を行わずに、メモリー内のオフセットデータを初期値として用いることで、ディスク初期化にかかる時間を短縮する構成が記載されている。
【０００３】
【特許文献１】
特開平１０−６４１６６号公報
【特許文献２】
特開平１０−６９６５１号公報
【０００４】
【発明が解決しようとする課題】
上記特開平１０−６４１６６号公報に記載の技術では、現在ロードされているディスクに対し状態検出器によりレンズ切換え部の機械的なレンズ設定状態を検出することでディスクの種別を検出し、メモリーに記憶されている直前にロードしたディスクの場合の状態情報と比較してディスク種別の異同を判別し、また、上記特開平１０−６９６５１号公報に記載の技術では、現在ロードされているディスクに対し、目次データから作成した判別データを検出し、メモリーに記憶されたデータと比較して、トラックカウント学習機能実行の要否を判別する。メモリーには判別データとオフセットデータとを記憶する。すなわち、両公報記載の技術とも、ディスク毎の固有の管理番号を検出してディスクの異同を判別するものではないし、また、記録時または再生時に、ディスク毎の特性データを利用するものではない。従って、これらの従来技術においては、現在ロードされているディスクと過去にロードされたディスクとの異同の判別において正確な判別ができないおそれがあるし、また、判別時間が長くなり易い。さらに、記録時または再生時に、ディスク毎の特性データも利用されないため、トラッキング精度等も低下し易いおそれがある。
本発明の課題点は、上記従来技術の状況に鑑み、記録再生装置において、（１）現在ロードされているディスクの判別時間の短縮も含め、ディスクに対し記録または再生動作が開始されるまでの時間をより一層短縮できるようにすること、（２）ディスクの判別も、簡易かつ正確に行えるようにすること、（３）記録時または再生時に、ディスク毎の特性データも利用されるようにすること、等である。
本発明の目的は、かかる課題点を解決できる技術の提供にある。
【０００５】
【課題を解決するための手段】
上記課題点を解決するために、本発明では、基本的に、記録再生装置として、新たにロードされたディスクの特性データが既に装置内に記憶されているときは、該ディスクに対し特性データの検出をすることなく情報の記録または再生を開始する構成とする。上記特性データが既に記憶されているか否かの判別は、ディスクの固有の管理番号を検出しこれが記憶されているか否かを判別して行う。
具体的には、
（１）記録再生装置として、ディスクの特性データを記憶可能な記憶手段（該当実施例：符号７）と、ロードされたディスクの特性データが既に上記記憶手段内に記憶されているときは、該ディスクに対し特性データの検出をすることなく情報の記録または再生を開始するように制御する制御手段（該当実施例：符６）とを備え、同一のディスクに対し繰返して記録または再生を行う場合の、記録開始または再生開始までの時間を短縮可能な構成とする。
（２）記録再生装置として、ディスクの固有の管理番号と特性データを記憶可能な記憶手段（該当実施例：符号７）と、ロードされたディスクの固有の管理番号が該記憶手段内に記憶されているときは、該ディスクの特性データが既に該記憶手段内に記憶されているとして該ディスクの特性データの検出を行うことなく該ディスクに対する情報の記録または再生を開始するように制御する制御手段（該当実施例：符号６）とを備え、ディスクの固有の管理番号と特性データを予め記憶することにより、該ディスクに対する記録開始または再生開始までの時間を短縮可能な構成とする。
（３）記録媒体としてのディスクに対し情報の記録または再生を行う記録再生方法として、ロードされたディスクの固有の管理番号を読取るステップと、該読取った固有の管理番号が装置内に記憶されているか否かを判別するステップと、該判別の結果、該固有の管理番号が記憶されているときは、上記ロードされたディスクの特性データが既に該装置内に記憶されているものとして該ディスクの特性データの検出を行うことなく該ディスクに対する情報の記録または再生を開始するように制御するステップとを経て、ロードされたディスクに対し記録または再生を開始するようにする。
【０００６】
【発明の実施の形態】
以下、本発明の実施例につき、図面を用いて説明する。
図１は本発明の実施例としての記録再生装置の構成例を示す図である。
図１において、１はディスク、２は光ピックアップ部、３はスピンドルモータや各回路などを支持するユニットベース、４は、光ピックアップ部２により取り込んだ反射光からディスク１の固有の管理番号や特性データなどを検出する光検出器、５は信号処理を行う信号処理回路、６は、検出データの管理などを含む装置全体のシステム制御を行うシステム制御部、７は、光検出部で検出したディスク１の固有の管理番号や特性データや、ストラテジーなどを記憶しておく検出データ記録部、８は、コンピュータ等の外部機器への接続をコントロールするインターフェース制御部、９は、光ピックアップ部２の駆動信号を形成する光ピックアップ駆動回路、１０は、ユニットベース３内のスピンドルモータや光ピックアップ駆動用モータや各回路を駆動するためのユニットベース駆動回路、１１はディスク１を回転駆動するスピンドルモータである。
上記特性データとしては、ディスク１の物理的特性であるトラックピッチ長、偏重心量、偏心量などがあり、上記ストラテジーとしては、書き込み時のレーザーパワー最適量などがある。光検出器４における特性データの検出方法としては多くの方法があるが、例えばトラックピッチ長は、定量のセクタ数を連続的に読むのにかかった時間から求める。また、検出データ記録部７では、記憶データ量が該検出データ記録部７の記録許容領域を超えないようにするために、記憶データ量が所定量に達すると、その後は新しいデータを記憶する時に、既に記憶済みのデータの一部が時系列的に古いものから順に削除されるようになっている。
【０００７】
上記構成において、記録再生装置の電源が入れられ、ディスク１がターンテーブル（図示なし）に装填（ロード）され、記録モードまたは再生モードの操作指示がされると、システム制御部６からの制御信号に基づき、ユニットベース駆動回路１０からの駆動信号によってユニットベース３内のスピンドルモータ１１が回転駆動され、ディスク１が所定速度で回転される。この状態において光ピックアップ駆動回路９は、光ピックアップ部２に対しフォーカスサーボやトラッキングサーボをかけ、該光ピックアップ部２が該ディスク１上のデータを読み込める状態にする。光検出器４は、回転している該ディスク１から、データのうち該ディスク１の固有の管理番号を検出し、対応した信号を信号処理回路５に向けて出力する。信号処理回路５では、光検出器４側から入力された該信号に基づき信号処理を行って該ディスク１の固有の管理番号に対応する信号を形成しシステム制御部６に送る。システム制御部６では、検出データ記録部７に記憶されている管理番号を検索し、上記現在ロードされているディスク１の固有の管理番号と一致するものがあるか否かを判別する。該判別の結果、該ディスク１の固有の管理番号と一致するものがあるときは、該システム制御部６は、該新たにロードされた該ディスク１の特性データが既に該検出データ記録部７内に記憶されているものとして、該ディスク１の特性データの検出や検出データ記録部７への記憶（記録）を行うことなく、該既に記憶されている特性データを用いて該ディスク１に対する情報の記録または再生動作を開始するように制御する。
【０００８】
一方、上記判別の結果、該ディスク１の固有の管理番号と一致するものがないときは、該システム制御部６は、該新たにロードされた該ディスク１の特性データは未だ検出データ記録部７内に記憶されていないものとして該ディスク１の特性データの検出を行い、該検出した特性データを、固有の管理番号やストラテジーなどといっしょに検出データ記録部７内に記憶させるとともに、該特性データに従った制御を、少なくとも光ピックアップ部２に対して行い、該制御状態で該ディスク１に対する情報の記録または再生動作を開始させる。上記新たに検出した特性データの、検出データ記録部７内への記憶にあたり、システム制御部６は、検出データ記録部７の記録スペースに、記憶データ量が記録許容領域を超えない所定容量に達するまでの余裕があるか否かを判別する。該判別の結果、余裕スペースがあるときはそのまま検出データ記録部７内に記憶を行い、余裕スペースがない場合は、既に記憶されているデータの一部を削除して記録スペースを確保してから記憶する。削除するデータとしては時系列の古いものから順に１個または複数個削除する。
【０００９】
上記のように、ディスク１の特性データが検出データ記録部７内に既に記憶されている場合は、特性データの検出と記憶をあらためて行う必要がないため、記憶されていない場合に比べ、記録開始または再生開始までのシステム制御部６における制御時間が、少なくとも該特性データの検出に要する時間分は短縮される。また、システム制御部６では、ディスク１の特性データが既に記憶されているか否かの判別を、固有の管理番号の一致・不一致により判別する構成としているため、該ディスク１の特性データの検出が必要か否かの判断も短時間でなされる。システム制御部６が行う検出データ記録部７内のデータの上記検索は時系列の新しいものから順に行い、ディスク１の固有の管理番号と一致するものを見つけた時、その後の検索動作を中止し、該見つけた管理番号に対応して記憶されている特性データを用いて該ディスク１に対する情報の記録または再生動作を開始する。従って、記憶されている最新履歴の管理番号がディスク１の固有の管理番号と一致する場合が、検索時間も最短となるため、記録または再生開始までの時間が最短となる。
【００１０】
図２は、図１の記録再生装置の動作説明図である。以下、図２の説明用語中の符号は図１の符号を用いるものとする。
図２において、
（１）先ず、ディスク１が記録再生装置の所定位置にロードされる（ステップＳ２１）。
（２）ロードされたディスクを所定速度で回転させ、光ピックアップ駆動回路９が、光ピックアップ部２をフォーカスサーボやトラッキングサーボをかけた状態で駆動し、該光ピックアップ部２が該ディスク１上のデータを読み込める状態にする。この状態で、光検出器４が、回転しているディスク１に記録されているデータのうち該ディスク１の固有の管理番号を検出し、対応した信号を出力する（ステップＳ２２）。
（３）システム制御部６が、検出データ記録部７に記憶されている管理番号を検索し、ロードされているディスク１の固有の管理番号と一致するものが存在するか否かを判別する（ステップＳ２３）。
（４）上記ステップＳ２３における判別の結果、ディスク１の固有の管理番号と一致する管理番号データが検出データ記録部７内に存在する場合は、システム制御部６は、該新たにロードされた該ディスク１の特性データが既に該検出データ記録部７内に記憶されているものとして、該ディスク１の特性データの検出や検出データ記録部７への記憶（記録）を行うことなく、該既に記憶されている特性データを用いて以降の動作、すなわち該ディスク１に対する情報の記録または再生動作を開始させる（ステップＳ２４）。
（５）一方、上記ステップＳ２３における判別の結果、ディスク１の固有の管理番号と一致する管理番号データが検出データ記録部７内に存在しない場合は、システム制御部６は、該新たにロードされた該ディスク１の特性データは未だ検出データ記録部７内に記憶されていないものとして該ディスク１の特性データの検出を行う（ステップＳ２５）。
（６）システム制御部６は、上記ステップＳ２５で検出した特性データを検出データ記録部７に記憶させるにあたり、検出データ記録部７の記録スペースに、記憶データ量が記録許容領域を超えない所定容量に達するまでの余裕があるか否かを判別する（ステップＳ２６）。
（７）上記ステップＳ２６における判別の結果、検出データ記録部７の記録スペースに余裕がある場合は、そのままディスク１の特性データを固有の管理番号などとともに記憶する（ステップＳ２７）。
（８）上記ステップＳ２６における判別の結果、検出データ記録部７の記録スペースに余裕がない場合は、既に記憶されているデータの一部を時系列の古いものから順に１個または複数個削除し記録スペースを確保してから記憶する（ステップＳ２８）。
【００１１】
上記実施例によれば、記録再生装置において、過去に使用された履歴が記憶されているものについては、ロードされたディスクの特性データを該ディスクから新たに検出する必要がないため、短時間のうちに記録または再生動作に入ることが可能となる。また、ディスクの固有の管理番号の検索・参照は、記憶されているものを時系列の新しいものから順に行うため、使用頻度の高いディスクや最近使用したディスクなどをまた新たにロードした場合には、該管理番号の検索・参照のための時間も短縮でき、上記特性データの検出時間を省略できることと併せ、記録または再生動作を開始するまでの時間をさらに一層短くすることができる。特性データの検出に要する時間は通常約５．０〜６．０ｓであり、本実施例ではこれをなくすことが可能となる。このため、記録または再生動作の開始までに、例えば、従来は５．０〜７．０ｓかかっていた時間を、本実施例によれば、１．０ｓ以下にすることができる。
【００１２】
【発明の効果】
本発明によれば、記録再生装置において、ロードされたディスクに対し短時間のうちに記録または再生動作に入ることが可能となる。
【図面の簡単な説明】
【図１】本発明の記録再生装置の一実施例を示す図である。
【図２】図１の記録再生装置の動作説明図である。
【符号の説明】
１…ディスク、  ２…光ピックアップ部、  ３…ユニットベース、  ４…光検出器、  ５…信号処理回路、  ６…システム制御部、  ７…検出データ記録部、８…インターフェース制御部、  ９…光ピックアップ駆動回路、  １０…ユニットベース駆動回路、  １１…スピンドルモータ。
【図１】
2004241075.tif 000003
【図２】
2004241075.tif 000004